(57)【要約】【課題】商品載置棚に載置された商品の冷却に要する時間の短縮化を図ること。【解決手段】内部が収納室１１と機械室１２とに区画され、収納室１１が少なくとも前面１３を通じて視認可能な箱状のケース本体１０と、ケース本体１０の後面１５に形成された開口１５ａを開閉するための扉体６０と、収納室１１に上下方向に沿って複数段設けられた商品載置棚１６とを備えたショーケースにおいて、収納室１１の内部の空気を機械室１２との間で循環させる循環ファン４３と、機械室１２に配設され、循環ファン４３により循環させられる空気を冷却する冷却器４１と、扉体６０の前面に配設され、循環ファン４３により機械室１２から送出された空気を導入口６２１より導入して吹出口６２２より吹き出させる背面ダクト６２を備え、商品載置棚１６は、左右両側部において上端部の高さレベルが商品２３の高さレベル以上となる態様で設けられた棚規制部１９ｂを備えている。【選択図】図１
2017138063.tif 000002
【特許請求の範囲】
【請求項１】
内部が収納室と機械室とに区画され、前記収納室が少なくとも前面を通じて視認可能な箱状のケース本体と、
前記ケース本体の後面に形成された開口を開閉するための扉体と、
前記収納室に上下方向に沿って複数段設けられ、収納対象となる商品を載置する商品載置棚と
を備え、前記前面を通じて前記商品載置棚に載置された商品を視認させるショーケースにおいて、
前記収納室の内部の空気を該収納室と前記機械室との間で循環させる循環手段と、
前記機械室に配設され、前記循環手段により循環させられる空気を冷却する冷却器と、
前記扉体の前面に配設され、かつ前記循環手段により前記機械室から前記収納室に送出された空気を下端部に設けられた導入口より導入して前記扉体の前面に沿って通過させるとともに、上端部に設けられた吹出口より吹き出させるダクトと
を備え、
前記商品載置棚は、左右両側部において上端部の高さレベルが前記商品の高さレベル以上となる態様で設けられた規制部を備えたことを特徴とするショーケース。
【請求項２】
前記ダクトは、前記扉体の前面に着脱可能に配設してあることを特徴とする請求項１に記載のショーケース。
【請求項３】
前記ダクトは、前記扉体とともに透明な材料から構成され、かつ扉体及び自身を通じて前記収納室を視認可能にさせることを特徴とする請求項１又は請求項２に記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部が収納室と機械室とに区画されている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。また、ケース本体の後面に形成された開口は、複数のガラス扉が左右にスライド移動することで開閉される。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２００８−１６７９２７号公報
【発明の概要】
【発明が解決しようとする課題】
【０００７】
ところで、上述した特許文献１に提案されているショーケースは、各商品載置棚の下面等にヒータを設けることにより、該商品載置棚に載置された商品を加熱する加温専用のショーケースであり、収納対象となる商品を冷却することは考えられていなかった。
【０００８】
そこで、特許文献１に提案されているショーケースにおいて、商品載置棚に載置された商品を冷却する場合には、ケース本体の内部に冷却器を配設して、該冷却器により収納室の内部空気を冷却することが考えられる。
【０００９】
しかしながら、収納室には上下方向に沿って商品載置棚が複数段設けられているため、ケース本体に冷却器を配設するだけでは、冷気の特性上、下方側の商品載置棚に載置された商品だけが冷却されてしまい、全ての商品載置棚の商品が冷却されるのに必要な時間の長大化を招来することとなる。
【００１０】
本発明は、上記実情に鑑みて、商品載置棚に載置された商品の冷却に要する時間の短縮化を図ることができるショーケースを提供することを目的とする。
【課題を解決するための手段】
【００１１】
上記目的を達成するために、本発明に係るショーケースは、内部が収納室と機械室とに区画され、前記収納室が少なくとも前面を通じて視認可能な箱状のケース本体と、前記ケース本体の後面に形成された開口を開閉するための扉体と、前記収納室に上下方向に沿って複数段設けられ、収納対象となる商品を載置する商品載置棚とを備え、前記前面を通じて前記商品載置棚に載置された商品を視認させるショーケースにおいて、前記収納室の内部の空気を該収納室と前記機械室との間で循環させる循環手段と、前記機械室に配設され、前記循環手段により循環させられる空気を冷却する冷却器と、前記扉体の前面に配設され、かつ前記循環手段により前記機械室から前記収納室に送出された空気を下端部に設けられた導入口より導入して前記扉体の前面に沿って通過させるとともに、上端部に設けられた吹出口より吹き出させるダクトとを備え、前記商品載置棚は、左右両側部において上端部の高さレベルが前記商品の高さレベル以上となる態様で設けられた規制部を備えたことを特徴とする。
【００１２】
また本発明は、上記ショーケースにおいて、前記ダクトは、前記扉体の前面に着脱可能に配設してあることを特徴とする。
【００１３】
また本発明は、上記ショーケースにおいて、前記ダクトは、前記扉体とともに透明な材料から構成され、かつ扉体及び自身を通じて前記収納室を視認可能にさせることを特徴とする。
【発明の効果】
【００１４】
本発明によれば、循環手段により冷却器にて冷却された空気をダクトに導入させ、扉体の前面に沿って通過させるとともに、吹出口より吹き出させることで、収納室の全体に亘って内部空気を早期に冷却することができる。これにより、商品載置棚に載置された商品の冷却に要する時間の短縮化を図ることができるという効果を奏する。また、吹出口より冷却器にて冷却された空気を吹き出させることにより、収納室の全体に亘って内部空気を効率よく冷却することができ、各商品に対して温度のバラツキを最小限に抑えることができる。
【００１５】
また本発明によれば、規制部が商品載置棚の左右両側部において上端部の高さレベルが商品の高さレベル以上となる態様で設けられているので、吹出口を吹き出されて各商品載置棚の左右両側域を通過する空気が各商品載置棚に載置された商品に当接することを抑止でき、該商品が必要以上に乾燥してしまうことを抑制することができるという効果を奏する。
【図面の簡単な説明】
【００１６】
【図１】図１は、本発明の実施の形態であるショーケースの内部構造を左側から見た場合を模式的に示す断面側面図である。
【図２】図２は、収納室における複数の商品載置棚を右側上方より見た場合を示す斜視図である。
【図３】図３は、収納室における複数の商品載置棚を右側下方より見た場合を示す斜視図である。
【図４】図４は、ブラケット部材を示す斜視図である。
【図５】図５は、右側のブラケット部材の平面図である。
【図６】図６は、右側のブラケット部材の背面図である。
【図７】図７は、右側のブラケット部材が右側の棚柱に支持される状態を示す左側面図である。
【図８】図８は、右側のブラケット部材が右側の棚柱に支持される状態を示す平面図である。
【図９】図９は、係止片が第１係止孔に挿入されて係止される状態を示す模式図である。
【図１０】図１０は、受部材を示す斜視図である。
【図１１】図１１は、商品載置棚の要部を示す斜視図である。
【図１２】図１２は、レール部材を示す斜視図である。
【図１３】図１３は、棚板を示す斜視図である。
【図１４】図１４は、扉体の前面を右側前方上方域から見た場合を示す斜視図である。
【図１５】図１５は、扉体の前面を右側前方下方域から見た場合を示す斜視図である。
【図１６】図１６は、扉体の前面の正面図である。
【図１７】図１７は、収納室における空気の流れを模式的に示す説明図である。
【発明を実施するための形態】
【００１７】
以下に添付図面を参照して、本発明に係るショーケースの好適な実施の形態について詳細に説明する。
【００１８】
図１は、本発明の実施の形態であるショーケースの内部構造を左側から見た場合を模式的に示す断面側面図である。ここで例示するショーケースは、例えばコンビニエンスストア等の店舗のカウンタ上に設置されてドーナツ等の商品を陳列するものであり、ケース本体１０及び扉体６０を備えている。
【００１９】
ケース本体１０は、箱状の形態を成しており、内部が収納室１１と機械室１２とに上下に区画されている。このケース本体１０は、収納室１１を構成する前面１３が左右両側面１４とともに接客面を構成し、かつ該収納室１１を構成する後面１５に開口（以下、後面開口ともいう）１５ａが形成されている。かかるケース本体１０では、収納室１１を構成する各面１３等は断熱構造を有する透明なガラス材や樹脂材により構成されており、収納室１１が外部から視認可能である。また、接客面を構成する前面１３は、上方に向かうに連れて漸次後方に湾曲してなるものである。
【００２０】
上記ケース本体１０における収納室１１には、複数の商品載置棚１６が上下方向に沿って複数段並べて配設されている。
【００２１】
図２及び図３は、それぞれ収納室１１における複数の商品載置棚１６のうち上方から２段目の商品載置棚１６の要部を示すものであり、図２は、右側上方より見た場合を示す斜視図であり、図３は、右側下方より見た場合を示す斜視図である。これら図２及び図３に示すように、商品載置棚１６は、ブラケット部材１７、受部材１８及び棚板１９を備えて構成されている。
【００２２】
ブラケット部材１７は、図４にも示すように左右一対のものである。このようなブラケット部材１７は、互いの内面が対向する態様で棚柱２０（図１参照）に支持されている。尚、ここでいう「内面」とは、右側のブラケット部材１７では左面をさし、左側のブラケット部材１７では右面をさすものとする。また、左側のブラケット部材１７は、右側のブラケット部材１７に対して左右方向の構成が異なるだけであるので、以下においては右側のブラケット部材１７について説明し、左側のブラケット部材１７の説明は割愛する。
【００２３】
棚柱２０は、収納室１１の後方側において互いの内面が対向する態様で立設された左右一対のものである。これら棚柱２０は、第１係止孔（図７参照）２０１及び第２係止孔（図７参照）２０２が形成されている。尚、ここでいう「内面」とは、右側の棚柱２０では左面をさし、左側の棚柱２０では右面をさすものとする。
【００２４】
第１係止孔２０１は、各棚柱２０の内面に上下方向に沿って所定間隔毎に形成された矩形状のものである。つまり各棚柱２０の内面においてそれぞれの高さレベルに形成された第１係止孔２０１同士が左右一対となる態様で互いに対向して形成されている。
【００２５】
第２係止孔２０２は、各棚柱２０の前面１３に上下方向に沿って所定間隔毎に形成されている。これら第２係止孔２０２は、棚柱２０の内面に連続する態様で形成された長孔である。また、第２係止孔２０２では、棚柱２０の内面に開口する部分の上下寸法が棚柱２０の前面１３に開口する部分の上下寸法よりも大きくなるよう形成されている。
【００２６】
図５及び図６は、それぞれ右側のブラケット部材１７を示すものであり、図５は、右側のブラケット部材１７の平面図であり、図６は、右側のブラケット部材１７の背面図である。これら図５及び図６にも示すように、上記ブラケット部材１７は、内面に２つのブラケットローラ１７１が回転可能に配設されており、係止片１７２、当接片１７３、係合片１７４及びサイドストッパ１７５が形成されている。
【００２７】
係止片１７２は、複数（図示の例では３つ）あり、それぞれブラケット部材１７の後端部の舌片状部分を他のブラケット部材１７とは反対側の方向、すなわち右方に屈曲させることで形成されている。
【００２８】
これら係止片１７２の基端部分の下端部には切欠１７２ａが形成されている。ここで切欠１７２ａの左右方向の長さは棚柱２０を構成する板金の厚み、すなわち第１係止孔２０１の開口縁部の厚みよりも僅かに大きいものである。
【００２９】
当接片１７３は、ブラケット部材１７における後端部であって係止片１７２よりも前方側となる個所が切り起こされたことにより形成された矩形状部分が上記係止片１７２と同一の方向に屈曲されて形成されたものである。この当接片１７３は、上下方向が長手方向となる長尺状部位である。また、この当接片１７３の下端部には係止突起１７３ａが設けられている。係止突起１７３ａは、当接片１７３の下端縁部が後方に向けて屈曲されることにより形成されたものであり、後方に向けて突出するものである。
【００３０】
係合片１７４は、複数（図示の例では２つ）あり、それぞれがブラケット部材１７の後端部であって係止片１７２の間に後方に向けて突出する態様で形成された平板状部分である。
【００３１】
サイドストッパ１７５は、ブラケット部材１７の前端部において、右方に向けて突出する態様で設けられた棒状のものである。このサイドストッパ１７５は、左右方向が長手方向となる長尺状部材であり、その左右方向の長さは、先端がケース本体１０の側面（右側面）１４に接することが可能な大きさである。
【００３２】
図７及び図８は、それぞれ右側のブラケット部材１７が右側の棚柱２０に支持される状態を示すもので、図７は、左側面図であり、図８は、平面図である。
【００３３】
右側のブラケット部材１７を右側の棚柱２０に対して左方側から近接させて、係止片１７２を第１係止孔２０１に進入させるとともに係止突起１７３ａを第２係止孔２０２に進入させ、その後に、図９に示すように係止片１７２の切欠１７２ａに第１係止孔２０１の下縁部が相対的に進入するよう右側のブラケット部材１７を下方に変位させることで、当接片１７３が棚柱２０の前面１３に接するとともに係合片１７４が棚柱２０の内面に接して右側のブラケット部材１７が右側の棚柱２０に支持される。
【００３４】
受部材１８は、図１０に示すように左右一対のものである。尚、左側の受部材１８は、右側の受部材１８に対して左右方向の構成が異なるだけであるので、以下においては右側の受部材１８について説明し、左側の受部材１８の説明は割愛する。
【００３５】
受部材１８は、前後方向が長手方向となる長尺状のものであり、上下方向に沿って延在する受基部１８１と、受基部１８１の上端縁部より左方に向けて延在する受上面部１８２とを有している。
【００３６】
受基部１８１の左面には、２つの受部ローラ１８３が回転可能に配設されている。受上面部１８２には、前後方向が長手方向となる受長孔１８４が形成されている。この受長孔１８４は、長手方向の中央部分の幅が、前方部分及び後方部分の幅よりも大きくなるように形成されている。
【００３７】
また、受上面部１８２の後端部には受ストッパ部１８５が形成されている。受ストッパ部１８５は、受上面部１８２の後端部において後方に向けて突出する矩形状部分を上方に向けて屈曲させた後に前方に向けて屈曲させることにより形成されたものである。
【００３８】
このような受部材１８は、図１１に示すように、レール部材２１を介してブラケット部材１７の内面に配設されている。ここでレール部材２１は、図１２に示すように、ブラケットレール部２１ａと棚レール部２１ｂとが互いに接合されて構成されたものである。尚、レール部材２１も、ブラケット部材１７や受部材１８と同様に左右一対のものであり、左側のレール部材２１は、右側のレール部材２１に対して左右方向の構成が異なるだけであるので、以下においては右側のレール部材２１について説明し、左側のレール部材２１の説明は割愛する。
【００３９】
ブラケットレール部２１ａは、縦断面が略コ字状を成し、前後方向が長手方向となる長尺棒状体である。このブラケットレール部２１ａは、ブラケットローラ１７１の進入を許容し、かつブラケットローラ１７１を転動させるものである。
【００４０】
棚レール部２１ｂは、縦断面が略コ字状を成し、前後方向が長手方向となる長尺棒状体である。この棚レール部２１ｂは、受部ローラ１８３の進入を許容し、かつ受部ローラ１８３を転動させるものである。
【００４１】
このようにレール部材２１は、ブラケットレール部２１ａにブラケットローラ１７１が進入して転動することで、ブラケット部材１７に対して前後方向に沿ってスライド移動可能なものである。
【００４２】
また、受部材１８は、受部ローラ１８３がレール部材２１の棚レール部２１ｂに進入して転動することで、レール部材２１に対して前後方向に対してスライド移動可能なものである。つまり、受部材１８は、レール部材２１を介することで、ブラケット部材１７に内面に対して前後方向に沿って移動可能に配設されている。
【００４３】
棚板１９は、棚基部１９ａと棚規制部（規制部）１９ｂとを有している。棚基部１９ａは、略平板状の形態を成す部位であり、その上面が商品を載置するための商品載置面を構成している。この棚基部１９ａの下面における左右両端部には、図１３に示すように係合部材１９１が設けてある。係合部材１９１は、前後方向が長手方向となり、かつ下方に向けて突出する長尺状突部１９２を有している。この長尺状突部１９２の前後長さ及び左右方向の長さは、上記受長孔１８４に進入可能な大きさである。また、係合部材１９１は、長尺状突部１９２の前端部にフック部１９３が設けられている。
【００４４】
このような棚基部１９ａ（棚板１９）は、棚基部１９ａのそれぞれの係合部材１９１における長尺状突部１９２を各受部材１８の受長孔１８４に進入させるようにし、図２及び図３に示すように、フック部１９３を受部材１８における受長孔１８４の前縁部に係止させ、かつ受ストッパ部１８５により後方への移動を規制されることでこれら受部材１８を跨るようにして該受部材１８に係合している。
【００４５】
そして、棚基部１９ａには棚把手部１９４が形成されている（図２参照）。棚把手部１９４は、棚基部１９ａの後端部における左右方向の中央部分にて上方に向けて延在する態様で形成されている。
【００４６】
かかる棚基部１９ａは、各受部材１８に係合することで、ブラケット部材１７に対して前後方向にスライド移動可能である。つまり、棚基部１９ａは、引出操作された場合には、後面開口１５ａを通じて後方に向けてスライド移動することが可能であり、押出操作された場合には、後面開口１５ａを通じて前方に向けてスライド移動することが可能である。そして、棚基部１９ａの上面には、商品ガイド２２に支持された状態でドーナツ等の商品２３が前後方向及び左右方向に並ぶよう載置されている。ここで商品ガイド２２は、最も後方にあるものの上下方向の延在長さがそれよりも前方にあるものに比して大きくなっている。
【００４７】
棚規制部１９ｂは、棚基部１９ａの左右両側部に形成された左右一対のものである。これら棚規制部１９ｂは、棚基部１９ａの左端部分及び右端部分をそれぞれ上方に向けて屈曲させることにより上方に向けて延在する態様で形成されている。これら棚規制部１９ｂは、図１にも示すように、上端部の高さレベルが商品ガイド２２に支持される商品２３の高さレベル以上となる態様で、上下方向の長さが例えば４０〜５０ｍｍ程度に設けられている。尚、図１中の符号３０は、照明部材である。
【００４８】
ケース本体１０の機械室１２には、冷却ユニット４０が配設されている。この冷却ユニット４０は、冷却器４１、放熱器４２、循環ファン４３及び放熱ファン４４を備えて構成されている。
【００４９】
冷却器４１は、収納室１１と機械室１２とを区画する断熱底板２４に形成された吸込口２４１の下方側に配設されており、ペルチェ素子４５の冷温部分に熱的に接続されている。ここで、ペルチェ素子４５は、従来公知のものであり、ｐ型半導体とｎ型半導体とを電極板によって交互に直列に接続し、これら半導体の表裏に絶縁板を配設されたものである。このようなペルチェ素子４５は、直流電流が電極板に与えられることにより、一方の絶縁板は吸熱し（冷温部分となり）、他方の絶縁板が発熱する（高温部分となる）ものである。
【００５０】
上記冷却器４１は、熱伝導性に優れた材料により構成されており、図には明示していないが、複数のフィンが設けられ、これらフィン間が空気が通過するための空気通路を構成している。かかる冷却器４１は、ペルチェ素子４５から与えられる冷熱により、空気通路を通過する空気を冷却するものである。
【００５１】
放熱器４２は、冷却器４１の前方側に配設されており、ペルチェ素子４５の高温部分に熱的に接続されている。この放熱器４２は、熱伝導性に優れた材料により構成されており、図には明示していないが、複数のフィンが設けられ、これらフィン間が空気が通過するための空気通路を構成している。かかる放熱器４２は、ペルチェ素子４５から与えられる高温排熱により、空気通路を通過する空気を加熱して放熱するものである。
【００５２】
循環ファン４３は、上記吸込口２４１と、断熱底板２４の後方側に形成された送出口２４２とを連通するよう形成された断熱構造の風洞４６の内部において、冷却器４１の後方側に配設されている。この循環ファン４３は、駆動することにより上記吸込口２４１を通じて収納室１１の内部の空気を吸引し、冷却器４１の空気通路に吸引した空気を通過させる。
【００５３】
そして、循環ファン４３は、冷却器４１の空気通路を通過した空気を、送出口２４２を通じて収納室１１に送出することで、収納室１１の内部の空気を収納室１１と機械室１２との間で循環させるものである。
【００５４】
放熱ファン４４は、上記放熱器４２の前方側に配設されている。この放熱ファン４４は、駆動することにより機械室１２の底面２５に形成された吸引口２５１を通じて外気を吸引して放熱器４２の空気通路を通過させる。そして、放熱ファン４４は、放熱器４２の空気通路を通過した外気を、機械室１２の底面２５に形成された吐出口２５２を通じて外部に吐出させるものである。
【００５５】
このような機械室１２の底面２５、すなわちケース本体１０の底面２５には、上記吸引口２５１及び上記吐出口２５２の他、ドレン水排出口２５３が形成されるとともに、ドレン皿５１及びガイド部材５５が設けられている。
【００５６】
ドレン水排出口２５３は、吐出口２５２よりも後方側に形成されており、ケース本体１０の内部（例えば冷却器４１等）で発生して樋部材５２を通じて移動したドレン水を外部に排出するための開口である。
【００５７】
ドレン皿５１は、ドレン水排出口２５３の下方域に配設されており、ドレン水排出口２５３を通じて排出されたドレン水を貯留するためのものである。このドレン皿５１は、上部に形成された鍔部分５３が機械室１２の底面２５より下方に突出する態様で形成された左右一対のドレン支持部５４に支持されている。
【００５８】
ガイド部材５５は、平板状部材を屈曲して形成されたものであり、吸引口２５１と吐出口２５２との間において機械室１２の底面２５より下方に突出する態様で配設されている。このガイド部材５５は、ガイド基部５５１と、ガイド下延部５５２と、ガイド後延部５５３とを有している。
【００５９】
ガイド基部５５１は、機械室１２の底面２５に取り付けられる部位である。ガイド下延部５５２は、ガイド基部５５１の後端縁部より下方に向けて延在する部位である。ガイド後延部５５３は、ガイド下延部５５２の延在端部である下端部より後方に向けて延在する部位である。
【００６０】
上記ガイド部材５５は、左右方向の長さが吸引口２５１や吐出口２５２よりも大きく形成されており、吐出口２５２から吹き出された空気が前方側の吸引口２５１に向けて通過することを規制しつつ、後方側のドレン皿５１の周囲を通過するよう案内するものである。図１中の符号２６は、ケース本体１０の脚部である。
【００６１】
扉体６０は、後面開口１５ａを開閉するためのものであり、後面開口１５ａを閉塞するのに十分な大きさを有した平板状部材である。この扉体６０は、断熱性能を有する透明な樹脂材等から構成されている。
【００６２】
上記扉体６０の前面１３の周縁部、すなわち後面開口１５ａを閉塞する場合に該後面開口１５ａの周縁部を形成するケース本体１０の金属製フレームに対向する部分にガスケット部材６１が配設されている。かかるガスケット部材６１としては、扉体６０が後面開口１５ａを閉塞する際に、磁力の作用により後面開口１５ａの周縁部に吸着することが可能なマグネットガスケットであることが好ましい。
【００６３】
図１４〜図１６は、それぞれ扉体６０の前面１３を示すもので、図１４は、右側前方上方域から見た場合を示す斜視図であり、図１５は、右側前方下方域から見た場合を示す斜視図であり、図１６は、正面図である。
【００６４】
これら図１４〜図１６に示すように、扉体６０の前面１３には背面ダクト（ダクト）６２が配設されている。背面ダクト６２は、上記扉体６０とともに透明な樹脂材等から構成されるものである。このような背面ダクト６２は、扉体６０の前面１３との間に上下方向に沿って延在する空気風路６２ａを形成しており、導入口６２１、吹出口６２２及び噴出口６２３を有している。
【００６５】
導入口６２１は、下端部に形成された開口であり、後述するように循環ファン４３が駆動する場合に、空気を導入するための開口である。導入口６２１を通じて導入された空気は空気風路６２ａを通過することとなる。この導入口６２１は、扉体６０が後面開口１５ａを閉塞する場合に、送出口２４２の上方側に位置するものである。
【００６６】
吹出口６２２は、上端部に形成された開口であり、後述するが、循環ファン４３が駆動する場合に、空気風路６２ａを通過した空気を吹き出すための開口である。
【００６７】
噴出口６２３は、背面ダクト６２の前面１３に複数形成されている。より詳細に説明すると、噴出口６２３は、背面ダクト６２の上下方向の中間部分の高さレベルよりも上方側であって、最上位の商品載置棚１６及び上から２番目の商品載置棚１６の最も後方に配置された商品ガイド２２に対向可能な個所に形成されている。これら噴出口６２３は、上記循環ファン４３が駆動する場合に、空気風路６２ａを通過する空気の一部を前方に向けて噴出させるための開口である。
【００６８】
このような背面ダクト６２は、右端部が扉体６０の前面１３に取り付けられた右側ダクトカバー６３により右方への移動及び下方への移動が規制されるよう保持されるとともに、左端部の下方側が扉体６０の前面１３に取り付けられた左側ダクトカバー６４により下方への移動及び左方への移動が規制されるよう保持され、更に左端部に取り付けられた磁石６６が扉体６０の前面１３に配設された磁性板６７に磁力により吸着することで配設されている。つまり、背面ダクト６２は、磁石６６を磁性板６７から離脱させて上方に受けて移動させることで扉体６０から離脱することができ、これにより、背面ダクト６２は、扉体６０の前面１３に着脱可能に配設されている。
【００６９】
上記扉体６０は、ケース本体１０の後面１５を構成する後面開口１５ａの右側縁部（金属製フレーム）に配設された図示せぬ軸部の中心軸回りに揺動可能に配設されており、該軸部の中心軸回りに揺動することで後面開口１５ａを開閉するものである。この扉体６０の後面１５には、扉把手部６５が設けられている。扉把手部６５は、扉体６０の後面１５における左方側に取り付けられている。
【００７０】
以上のような構成を有するショーケースにおいては、扉体６０が後面開口１５ａを閉塞した状態で循環ファン４３が駆動することにより、収納室１１の内部空気が吸込口２４１を通じて冷却器４１に至る。冷却器４１に至った空気は、空気通路を通過して冷却されて風洞４６を通過し、送出口２４２を通じて収納室１１に送出される。
【００７１】
送出口２４２より送出された空気は、導入口６２１を通じて背面ダクト６２に導入されて空気風路６２ａを通過し、その大部分が吹出口６２２より吹き出される。吹出口６２２より吹き出された空気は、各商品載置棚１６の前方域を通過するとともに、図１７に示すように各商品載置棚１６の左右両側域を下方に向けて通過し、その後に吸込口２４１に吸い込まれることで上述した循環を繰り返す。この結果、収納室１１の内部空気が冷却され、これにより商品載置棚１６に載置された商品２３が冷却される。
【００７２】
その一方、放熱ファン４４が駆動することにより、外気が吸引口２５１を通じて放熱器４２の空気通路を通過して加熱されてその後に吐出口２５２より外部に吐出される。外部に吐出された空気は、ガイド部材５５によって、後方に向けて移動し、ドレン皿５１の周囲を通過して排出される。
【００７３】
またショーケースは、商品載置棚１６に載置された商品２３の取り出し作業を行う場合には、扉体６０が開操作されて開移動することで後面開口１５ａを開放させる。その後に所望の商品２３を載置する商品載置棚１６の棚板１９が後方に向けて引き出される引出操作が行われることで、該棚板１９が後方に向けてスライド移動して、商品２３の取り出し作業が行われる。
【００７４】
商品２３の取り出しが行われた後、引出操作された棚板１９が前方に向けて押し込まれる押出操作が行われることで、該棚板１９が前方に向けてスライド移動する。その後に扉体６０が閉操作されて閉移動することでガスケット部材６１がケース本体１０の後面１５における後面開口１５ａの周縁部に吸着して該後面開口１５ａが閉塞される。
【００７５】
以上説明したような本実施の形態であるショーケースによれば、循環ファン４３の駆動により冷却器４１にて冷却された空気を背面ダクト６２の空気風路６２ａに導入させて扉体６０の前面１３に沿って上方に向けて移動させつつ吹出口６２２より吹き出させることにより、収納室１１の全体に亘って内部空気を早期に冷却することができる。これにより、商品載置棚１６に載置された商品２３の冷却に要する時間の短縮化を図ることができる。また、吹出口６２２より冷却器４１にて冷却された空気を吹き出させることにより、収納室１１の全体に亘って内部空気を効率よく冷却することができ、各商品２３に対して温度のバラツキを最小限に抑えることができる。
【００７６】
上記ショーケースによれば、棚基部１９ａの左右両側部に形成された左右一対の棚規制部１９ｂが、上端部の高さレベルが商品ガイド２２に支持される商品２３の高さレベル以上となる態様で設けられているので、吹出口６２２を吹き出されて各商品載置棚１６の左右両側域を通過する空気（冷気）が各商品載置棚１６に載置された商品２３に当接することを抑止でき、該商品２３が必要以上に乾燥してしまうことを抑制することができる。
【００７７】
上記ショーケースによれば、複数の噴出口６２３が背面ダクト６２の上下方向の中間部分の高さレベルよりも上方側に形成されているので、空気風路６２ａを通過する空気の一部を前方に向けて噴出させることができ、これにより、吹出口６２２からの空気の吹出量を低減させることができる。そのため、最上位の商品載置棚１６に載置された商品２３が必要以上に乾燥されてしまうことを抑制することができる。
【００７８】
上記ショーケースによれば、背面ダクト６２は扉体６０に着脱可能に配設されているので、背面ダクト６２を扉体６０から取り外すことで、該背面ダクト６２の清掃等を簡単に行うことができる。
【００７９】
上記ショーケースによれば、背面ダクト６２は扉体６０とともに透明な樹脂材等から構成されているので、後方からも収納室１１を視認させることができる。
【００８０】
また、本発明の実施の形態であるショーケースによれば、以下のような作用効果を奏する。
【００８１】
上記ショーケースによれば、棚板１９の後端部における左右方向の中央部分にて上方に向けて延在する態様で棚把手部１９４が形成されているので、店舗の販売員等は、かかる棚把手部１９４を把持して棚板１９を良好に引き出すことができる。
【００８２】
上記ショーケースによれば、商品載置棚１６を構成する棚板１９は、フック部１９３を受部材１８の受長孔１８４の前縁部から離脱させることで、受部材１８から容易に取り外すことができ、該棚板１９の清掃等を簡単に行うことができる。
【００８３】
上記ショーケースによれば、ブラケット部材１７は、棚柱２０に対して内方に移動させれば、係止片１７２を第１係止孔２０１から離脱させつつ係止突起１７３ａを第２係止孔２０２から離脱させることができ、ブラケット部材１７をレール部材２１及び受部材１８とともに容易に取り外すことができ、該ブラケット部材１７等の清掃等を簡単に行うことができる。
【００８４】
以上、本発明の好適な実施の形態について説明したが、本発明はこれに限定されるものではなく、種々の変更を行うことができる。
【００８５】
上述した実施の形態では、棚板１９を構成する棚規制部１９ｂを本発明の規制部の一例として説明したが、本発明においては、規制部は、商品載置棚を構成する棚板以外の要素、例えばブラケット部材等に設けられていてもよい。
【符号の説明】
【００８６】
１０  ケース本体
１１  収納室
１３  前面
１４  側面
１５  後面
１５ａ  後面開口
１６  商品載置棚
１７  ブラケット部材
１８  受部材
１９  棚板
１９ａ  棚基部
１９ｂ  棚規制部（規制部）
２２  商品ガイド
２３  商品
４１  冷却器
４３  循環ファン
６０  扉体
６２  背面ダクト（ダクト）
６２ａ  空気風路
６２１  導入口
６２２  吹出口
６２３  噴出口
【図１】
2017138063.tif 000003
【図２】
2017138063.tif 000004
【図３】
2017138063.tif 000005
【図４】
2017138063.tif 000006
【図５】
2017138063.tif 000007
【図６】
2017138063.tif 000008
【図７】
2017138063.tif 000009
【図８】
2017138063.tif 000010
【図９】
2017138063.tif 000011
【図１０】
2017138063.tif 000012
【図１１】
2017138063.tif 000013
【図１２】
2017138063.tif 000014
【図１３】
2017138063.tif 000015
【図１４】
2017138063.tif 000016
【図１５】
2017138063.tif 000017
【図１６】
2017138063.tif 000018
【図１７】
2017138063.tif 000019